(57)【要約】【課題】循環式水処理施設のバイオフィルムの成長を抑制する洗浄装置及び洗浄方法を提供する。【解決手段】循環式水処理施設（温浴施設１など）に設けられた循環配管９を流れる循環水を貯水する水槽２１と、水槽２１内の循環水にマイクロナノバブルを照射する照射装置（コラム２２ａ）と、マイクロナノバブルを含有する循環水を水槽２１内から循環配管９へ圧送する水中ポンプ２３とを有する洗浄装置４である。【選択図】図２
2019058856.tif 000002
【特許請求の範囲】
【請求項１】
循環式水処理施設に設けられた循環配管を流れる循環水を貯水する水槽と、
前記水槽内の前記循環水にマイクロナノバブルを照射する照射装置と、
前記マイクロナノバブルを含有する前記循環水を前記水槽内から前記循環配管へ圧送する水中ポンプと、
を有することを特徴とする洗浄装置。
【請求項２】
請求項１に記載の洗浄装置であって、
前記循環配管に一方端が接続され、前記水槽の吸水口に他方端が接続され、前記循環水を前記循環配管から前記水槽へ引き込む往き管と、
前記水中ポンプの吐出口と一方端が接続され、前記往き管の一方端と前記循環配管との接続点より下流側において前記循環配管と他方端が接続され、前記マイクロナノバブルを含有する循環水を前記水中ポンプから前記循環配管へ戻す戻り管と、
を有することを特徴とする洗浄装置。
【請求項３】
請求項１又は２に記載の洗浄装置であって、
前記水中ポンプと前記照射装置との間に設置され、前記照射装置側から前記水中ポンプ側への水の流れを制御する制御板を有する
ことを特徴とする洗浄装置。
【請求項４】
循環式水処理施設に設けられた循環配管を流れる循環水を貯水し、
貯水した前記循環水にマイクロナノバブルを照射し、
前記マイクロナノバブルを含有する前記循環水を前記循環配管へ戻す
ことを特徴とする洗浄方法。
【発明の詳細な説明】
【技術分野】
【０００１】
本発明は、循環式水処理施設の洗浄装置及び洗浄方法に関する。
【背景技術】
【０００２】
温浴施設（循環式水処理施設）では、衛生管理として、浴場や浴槽の清掃、浴槽水の消毒・換水・水質検査に加え、各種水処理装置（集毛器、循環ポンプ、薬剤注入器、ろ過器、加温器など）の適正な運用と維持管理が義務付けられている。しかし、このような衛生管理を実施したとしても、レジオネラ属菌の増殖を抑制することは難しい。その理由として、温浴施設の各種水処理装置を接続する循環配管内の清掃が難しいこと、薬剤による消毒では各種水処理装置や循環配管に形成されるバイオフィルムを除去できないことなどが挙げられる。そこで、ナノバブル水と殺菌成分を含む殺菌剤組成物を用いて、温浴施設などの各種配管などに形成された微生物の増殖やバイオフィルムの成長を抑制する技術が提案されている。例えば、特許文献１を参照。
【先行技術文献】
【特許文献】
【０００３】
【特許文献１】特開２０１３−１８０９５６号公報
【発明の概要】
【発明が解決しようとする課題】
【０００４】
しかしながら、特許文献１には、温浴施設（循環式水処理施設）において、ナノバブル水と殺菌成分を含む殺菌剤組成物を用いることで、微生物の繁殖やバイオフィルムの成長を抑制することは開示されているが、各種水処理装置や循環配管のレジオネラ属菌やバイオフィルムの成長を抑制する装置についての開示はされていない。
【０００５】
本発明の一側面に係る目的は、循環式水処理施設のバイオフィルムの成長を抑制する洗浄装置及び洗浄方法を提供することである。
【課題を解決するための手段】
【０００６】
本発明に係る一つの形態である洗浄装置は、水槽と照射装置と水中ポンプとを有する。
水槽は、循環式水処理施設に設けられた循環配管を流れる循環水を貯水する。照射装置は、水槽内の循環水にマイクロナノバブルを照射する。水中ポンプは、マイクロナノバブルを含有する循環水を水槽内から循環配管へ圧送する。
【０００７】
また、洗浄装置は、循環配管に一方端が接続され、水槽の吸水口に他方端が接続され、循環水を循環配管から水槽へ引き込む往き管と、水中ポンプの吐出口と一方端が接続され、往き管の一方端と循環配管との接続点より下流側において循環配管と他方端が接続され、マイクロナノバブルを含有する循環水を水中ポンプから循環配管へ戻す戻り管とを有する。
【０００８】
また、水槽内の水中ポンプと照射装置との間に設置され、照射装置側からポンプ側への水の流れを制御する制御板を有する。
【発明の効果】
【０００９】
バイオフィルムの成長を抑制することができる。
【図面の簡単な説明】
【００１０】
【図１】洗浄装置を設けた循環式温浴施設の一例を示す図である。
【図２】洗浄装置の一例を示す図である。
【図３】洗浄装置の一例を示す図である。
【図４】洗浄装置の一例を示す図である。
【図５】洗浄装置を使用した場合の効果を説明するための図である。
【発明を実施するための形態】
【００１１】
以下図面に基づいて実施形態について詳細を説明する。
温浴施設１（循環式水処理施設）の構成について説明する。図１は、洗浄装置を設けた温浴施設１の一例を示す図である。図１に示す温浴施設１（循環式水処理施設）は、浴槽２、集毛器３、洗浄装置４、循環ポンプ５、薬剤注入器６、ろ過器７、加温器８、循環配管９（９ａ、９ｂ、９ｃ、９ｄ、９ｅ）などを有する。なお、温浴施設１は、公衆浴場や温泉などの循環式の温浴施設に限らず、プールや池（例えば、ホテルやゴルフ場などにある池）などの循環式水処理施設などでもよい。
【００１２】
浴槽２は、循環配管９ｅの一方端と浴槽２の吸水口２ａとが接続され、循環配管９ｅから吸水口２ａを介して供給される温水（循環水）又は不図示の貯湯槽の温水を貯水する。また、浴槽２は、循環配管９ａの一方端と浴槽２の排水口２ｂとが接続され、貯水した温水を排水口２ｂを介して循環配管９ａに排出する。
【００１３】
浴槽２の維持管理は、例えば、週一回以上の完全換水による清掃を行い、バイオフィルムを除去するとともに、浴槽水を常に満杯にした状態で毎日の遊離残留塩素濃度が０．２［ｍｇ／Ｌ］から０．４［ｍｇ／Ｌ］未満の状態を２時間以上保持でき、かつ最大で１．０［ｍｇ／Ｌ］を超えないように消毒する所謂塩素管理を行う。
【００１４】
また、温浴施設１全体のバイオフィルム除去のため、例えば、年一回の休館日を設けて化学的循環洗浄及び物理的循環洗浄を行う。化学的循環洗浄とは、浴槽２の排水口２ｂから投入する薬品を循環配管９を含む温浴施設１の通水部全体に循環させて行う洗浄である。物理的循環洗浄とは、高圧ジェットを用いて循環配管９の洗浄を行う洗浄で、浴槽２の排水口２ｂから高圧ジェットを噴出する装置を循環配管９に挿入して洗浄可能な部位の洗浄を行うものである。
【００１５】
集毛器３は、循環配管９ａの他方端と集毛器３の吸込口３ａとが接続され、循環配管９ｂの一方端と集毛器３の吐出口３ｂとが接続され、浴槽２の排水口２ｂから排出された循環水（温水）に含まれている毛髪やゴミなどを除去する。
【００１６】
集毛器３の維持管理は、例えば、毎日一回毛髪やゴミなどの除去とバイオフィルム除去のためのフィルタの清掃及び消毒を行う。
洗浄装置４は、往き管４ａ、戻り管４ｂを介して循環配管９ｂに接続され、循環配管９ｂから往き管４ａを介して循環水を貯水し、貯水した循環水にマイクロナノバブルを供給し、マイクロナノバブルを含有した循環水を戻り管４ｂを介して循環配管９ｂへ戻す。ここで、マイクロナノバブルとは、少なくともマイクロバブル、ナノバブルのいずれか一つ、又は、マイクロバブルとナノバブルの両方を含む気泡である。
【００１７】
循環ポンプ５は、循環配管９ｂの他方端と循環ポンプ５の吸込口５ａとが接続され、循環配管９ｃの一方端と循環ポンプ５の吐出口５ｂとが接続され、温浴施設１の運用時において、浴槽２の排水口２ｂから吸水口２ａの方向へ循環水を循環させる。
【００１８】
循環ポンプ５の維持管理は、例えば、バイオフィルム除去のため年一回の休館日を設け循環ポンプ自体の分解をして清掃をするとともに、循環配管９を含む温浴施設１の通水部全体の薬品による化学的循環洗浄を行う。
【００１９】
薬剤注入器６は、循環配管９ｃと薬剤注入器６の薬剤注入口６ａとがホース１０を介して接続され、薬剤注入口６ａから循環配管９ｃへ塩素などの薬剤を定期的に注入して循環水の消毒をする。
【００２０】
薬剤注入器６の維持管理は、例えば、毎日一回以上、薬剤消費量の点検と循環配管９と薬剤注入器６とを接続するホース１０の外れ、ホース１０内のガスだまりの有無の点検を行う。
【００２１】
ろ過器７は、循環配管９ｃの他方端とろ過器７の吸込口７ａとが接続され、循環配管９ｄの一方端とろ過器７の吐出口７ｂとが接続され、薬剤により消毒された循環水をろ過する。ろ過器７は、例えば、砂ろ過方式、カートリッジろ過方式、ケイソウ土ろ過方式などのろ過器などである。
【００２２】
ろ過器７の維持管理は、例えば、バイオフィルム除去のため週一回以上の逆洗を行うとともに、年一回の休館日を設け、循環配管９を含む温浴施設１の通水部全体の薬品による化学的循環洗浄を行う。
【００２３】
加温器８は、循環配管９ｄの他方端と加温器８の吸込口８ａとが接続され、循環配管９ｅの他方端と加温器８の吐出口８ｂとが接続され、ろ過器７でろ過された循環水を所定温度まで加温する。
【００２４】
加温器８の維持管理は、例えば、加温器８に設けられている伝熱板は高温であるためバイオフィルムが付着することは少ないが、周辺の加温器８の壁面や吸込口８ａ、吐出口８ｂ、循環配管９との接続部近傍にはバイオフィルムが付着するため、年一回の休館日を設け、循環配管９を含む温浴施設１の通水部全体の薬品による化学的循環洗浄を行う。
【００２５】
洗浄装置４の構成について説明する。
図２、図３は、洗浄装置４の一例を示す図である。洗浄装置４は、往き管４ａ、戻り管４ｂ、水槽２１、微細孔方式マイクロナノバブル発生装置２２（コラム２２ａ（照射装置）、コンプレッサ２２ｂ、チューブ２２ｃ）、水中ポンプ２３、制御板２４、フロート弁２５を有する。
【００２６】
往き管４ａは、循環配管９ｂから水槽２１へ循環水を引き込むための配管である。図２に示す往き管４ａの一方端は循環配管９ｂに取り付けられた配管２６の出水口２６ａと接続され、往き管４ａの他方端は水槽２１の吸水口２１ａと接続されている。
【００２７】
戻り管４ｂは、水槽２１から循環配管９ｂへマイクロナノバブルを含有した循環水を戻すための配管である。図２に示す戻り管４ｂの一方端は循環配管９ｂに取り付けられた配管２７の入水口２７ａと接続され、戻り管４ｂの他方端は水槽２１に設けられた水中ポンプ２３の吐出口２３ａと接続されている。
【００２８】
なお、配管２６と配管２７の設置位置は、配管２６を配管２７の位置より上流側に設置する。言い換えれば、往き管４ａの一方端と循環配管９ｂとの接続点（配管２６の出水口２６ａ）より下流側に、戻り管４ｂの一方端と循環配管９ｂとの接続点（配管２７の入水口２７ａ）を配置する。
【００２９】
水槽２１は、循環配管９ｂを流れる循環水を貯水する。また、水槽２１には、コラム２２ａと水中ポンプ２３と制御板２４とフロート弁２５が設置されている。なお、通常温浴施設１の機械室は狭小であることが多いため、水槽２１は、既設の温浴施設１の機械室に設置することが容易な大きさで、人手による運搬が容易にでき、マイクロナノバブルを有効に発生させることができるものが望ましい。
【００３０】
なお、循環配管９ｂの配管２６の出水口２６ａから水槽２１へ流入させる循環水の流量を調整する不図示のバルブを、水槽２１の吸水口２１ａと配管２６の出水口２６ａ間の往き管４ａのいずれかの位置に設けてもよい。
【００３１】
微細孔方式マイクロナノバブル発生装置２２は、水槽２１内の循環水にマイクロナノバブルを照射する。微細孔方式マイクロナノバブル発生装置２２は、例えば、可搬型のコンプレッサ２２ｂから一つ以上のコラム２２ａへチューブ２２ｃを介して高圧空気を供給し、コラム２２ａを用いてマイクロナノバブルを発生させ、マイクロナノバブルを含有した循環水はマイクロナノバブル水として、水中ポンプ２３に吸引される。
【００３２】
また、一本のコラム２２ａから発生するマイクロナノバブルのサイズは、例えば、２０［ｎｍ］から２００［μｍ］の範囲で、１２０［ｎｍ］付近のサイズのマイクロナノバブルを多く有し、１２０［ｎｍ］の１［ｍＬ］中の発生個数は１０６個程度である。
【００３３】
なお、コラム２２ａから照射するマイクロナノバブルの発生量は、浴槽２の容量及び入湯者の数に応じて設定を変えてもよく、加圧０．１［ＭＰａ］から０．４［ＭＰａ］未満での一つのコラム２２ａからの気体発生量は、２．０［Ｌ／分］から４．０［Ｌ／分］未満であり、流量計を設け発生量を調整してもよい。
【００３４】
更に、図２、図３に示すように、コンプレッサ２２ｂを外付けとすることで、コンプレッサ２２ｂの設置位置を自由に変えられるため、温浴施設１の機械室に設置することが容易になる。
【００３５】
なお、コンプレッサ２２ｂは連続運転となることから、コンプレッサ２２ｂの故障の原因となる水抜きを適宜実施することが望ましい。
また、コラム２２ａに常時高圧空気が供給されると、空気中の水分、地下水成分、粉塵などの微細粒子もコラム２２ａに供給されるため、コラム２２ａの微細孔が徐々に閉塞し、微細気泡の発生量が減少する。そこで、コラム２２ａとコンプレッサ２２ｂとの間（チューブ２２ｃのいずれかの位置）にエアドライヤ及びエアフィルタを設け、コラム２２ａの微細孔の閉塞を防止することが望ましい。
【００３６】
水中ポンプ２３は、マイクロナノバブル水を水槽２１内から循環配管９ｂへ圧送する。水中ポンプ２３は、マイクロナノバブル水を吸水口２１ａから吸い込み、吐出口２３ａから循環配管９ｂへ戻り管４ｂを介してマイクロナノバブル水の一部を循環配管９ｂへ圧送する。
【００３７】
また、水中ポンプ２３は圧力が循環ポンプ５の圧力より大きく、洗浄に効果を発揮する流量を確保できる能力を有し、水槽２１の内壁と制御板２４に囲まれたスペースに設置できる大きさのものとする。
【００３８】
なお、水中ポンプ２３の吐出口２３ａから循環配管９ｂの配管２７の入水口２７ａに流出させるマイクロナノバブル水の流量を調整するため、水中ポンプ２３の吐出口２３ａと配管２７の入水口２７ａの間の戻り管４ｂのいずれかの位置に不図示のバルブを設けてもよい。
【００３９】
制御板２４は、水槽２１内の水中ポンプ２３とコラム２２ａとの間にじゃま板として設置され、コラム２２ａ側から水中ポンプ２３側への循環水の流れを制御し、水中ポンプ２３で発生したミリバブルが水中ポンプ２３側へ流れることを抑制することで、水中ポンプ２３及び循環ポンプ５のエア噛みを抑止する。すなわち、マイクロナノバブルを含有した循環水は水中ポンプ２３側へ流し、水中ポンプ２３のエア噛みの原因となる粒子径の大きなミリバブルを含有した循環水は水中ポンプ２３側へ流れないように抑止する。このようにすることで、エア噛みによる循環ポンプ５の停止を抑止することができる。
【００４０】
フロート弁２５は、水槽２１に貯水された循環水が所定量以下になると、図３に示すように水槽２１の吸水口２１ａを閉じる。フロート弁２５は、温浴施設１が運用停止状態になり循環ポンプ５が停止した際に、循環配管９内の循環水が水槽２１に流入することを防止し、温浴施設１が運用を開始して循環ポンプ５が稼働した際に、循環配管９に循環水が流れ始めると、循環配管９から循環水を水槽２１内に引き入れる。従って、フロート弁２５の開閉は、循環ポンプ５による循環配管９内の圧力に基づいて設定される。
【００４１】
このように、温浴施設１の運用中に、洗浄装置４からマイクロナノバブル水を循環配管９ｂに常時供給することで、日常清掃が困難な各種水処理装置（集毛器３、循環ポンプ５、ろ過器７、加温器８など）や循環配管９など施設全体に形成されたバイオフィルムの付着を営業形態に支障を及ぼすことなく、薬品の使用量を削減又は使用しなくても日常的に抑制することができる。
【００４２】
また、バイオフィルムの付着を日常的に抑制することができるため、浴場や浴槽の清掃、浴槽水（循環水）の消毒・換水・水質検査に加え、各種水処理装置の適正な運用と維持管理に掛かるコストを削減できる。具体的には、バイオフィルムの付着を日常的に抑制することができるため、薬剤管理（一般的には塩素剤の管理）が簡単となり、消毒に使用する薬品の量を減量することができるため、洗浄に使用する薬品の費用を削減することができる。
【００４３】
また、塩素管理作業が軽減化され、入湯者への塩素による様々な弊害が緩和される。現状、塩素管理は、浴槽水中の遊離残留塩素濃度が入湯者の増減や気温の変化によって大きくばらつくため、塩素管理に多大の労力を要するとともに、塩素の使用量も増加する。
【００４４】
また、塩素の過剰投入は入湯者の肌荒れ、目の充血、毛髪の脱色などの健康被害の原因に繋がるとも云われている。しかし、洗浄装置４を用いることで、塩素管理に要する多大の労力を軽減し、健康被害を抑止することができる。
【００４５】
更に、コラム２２ａからのマイクロナノバブル発生量を増加させることにより、洗浄効果を向上させることができる。
また、洗浄装置４は、分岐接続配管（配管２６、２７）などを用いることにより循環配管９への取り付けが簡単にできるため、大掛かりな設置工事などをしなくてもよいため、取り付け費用を削減できる。コラム２２ａの交換は、二年に一回程度とすることができる。
【００４６】
また、図４に示すように、炭酸ガスボンベ４１とバルブ４２（タイマによりバルブの開閉時間が調整できるバルブ）を設けて、コラム２２ａに定期的に一定時間炭酸ガスを供給してもよい。炭酸ガスを供給することで、高圧空気だけを供給する場合より小さなナノバブルが多く発生するため、効率のよい洗浄効果を得られる。なお、図４は、洗浄装置４の一例を示す図である。
【００４７】
また、洗浄装置４は、温浴施設１の営業を停止することなく、機械室内の運搬、設置、取り付け、運転、保守、点検が可能である。
また、洗浄装置４は連続運転することで、温浴施設１の営業を停止することなく、マイクロナノバブルを循環させることにより温浴施設１全体の洗浄を日常的にできる。
【００４８】
洗浄装置４の効果について説明をする。
図５は、洗浄装置４を使用した場合の効果を説明するための図である。図５の例では、地下水を用いた循環式の温浴施設において洗浄装置４を使用した場合と使用しない場合とで比較した実験結果が示されている。図５の縦軸はバイオフィルムの発生状況を推測できるＡＴＰ［ＲＬＵ］を示し、横軸は測定時間（月／日）を示している。また、破線５１は、洗浄装置４を使用しない場合の循環水のＡＴＰ値を示し、実線５２は、洗浄装置４を使用した場合の循環水のＡＴＰ値を示している。なお、図５は、３月１７日に洗浄を開始し、温浴施設１の同一系統に対して、洗浄装置４を使用した場合と使用しない場合とにおいて、ＡＴＰ（Adenosine triphosphate）値を比較測定した結果である。またなお、両者の測定時の浴槽容積、浴槽形態、入湯者数、浴槽等日常清掃方法、塩素注入量は同一である。
【００４９】
ＡＴＰ値は菌数そのものを示す指標ではないが、温浴施設１の汚れの量を原位置で簡単に測定できる指標であり、入湯者に肺炎を引き起こす恐れのあるレジオネラ属菌はバイオフィルム内で増殖することから、ＡＴＰ値の上昇とともにレジオネラ属菌検出率は上昇することがわかっている。
【００５０】
また、上水の循環式温浴施設におけるＡＴＰ値の判断基準によると、図５のＡＴＰ値が０［ＲＬＵ］から２５［ＲＬＵ］未満の範囲は、レジオネラ属菌が検出されないと考えられている範囲で、この範囲は安全ゾーンと呼ばれている。また、ＡＴＰ値が２５［ＲＬＵ］から８０［ＲＬＵ］未満の範囲は、レジオネラ属菌の検出率が２０［％］以下であるため、この範囲は要注意ゾーンと呼ばれている。また、ＡＴＰ値が８０［ＲＬＵ］より大きい範囲では、レジオネラ属菌の検出率は２０［％］より高くなると考えられているため、この範囲は危険ゾーンと呼ばれている。
【００５１】
そうすると、図５の破線５１のＡＴＰ値は、安全ゾーンと要注意ゾーンと危険ゾーンで変動しながら時間経過とともに徐々に増加しながら危険ゾーンに推移しているが、実線５２のＡＴＰ値は、上水よりも大きくなる地下水においても安全ゾーンと要注意ゾーンで変動しながら時間が経過してもほぼ一定の傾向にあるので、洗浄装置４による効果がみられる。つまり、両者の日常清掃の不可能なろ過器７、加温器８、循環配管９などにおいて、洗浄装置４を常設していない系統では、塩素を定期的に注入しても付着していたバイオフィルムは成長するが、洗浄装置４を常設している系統では、マイクロナノバブルの洗浄効果によって付着していたバイオフィルムの成長が抑制されている。
【００５２】
また、バイオフィルム表面は、塩素剤を常時定期的に注入しても細菌への攻撃をブロックすることから、バイオフィルムは更に成長してアメーバなどの原生動物が内部に棲みつき、有機物を栄養にして成長するので、図５の破線５１のＡＴＰ値は、時間経過とともに増加していき、塩素管理も困難となる。
【００５３】
バイオフィルムに対して優れた殺菌効果を示す殺菌剤組成物を使用することにより、バイオフィルムをなくすことは可能であるが、この場合温浴施設１の営業を停止して洗浄のための休館日を設けて洗浄を行う必要がある。また、洗浄後一定期間は洗浄効果を発揮できても、時間の経過とともに再びバイオフィルムの付着と成長により、温浴施設１の通水部全体が汚れていくため、この方法による洗浄効果を維持するためには洗浄作業を行う休館日を頻繁に設けることが必要となり、施設営業に支障を来すこととなって、現実的ではない。
【００５４】
しかし、洗浄装置４を常設しておけば、日常的に温浴施設１の通水部全体の汚れを殺菌剤組成物の使用無しでも除菌可能であることから、入湯者への健康被害を懸念する必要はなく、洗浄のために施設の営業を停止する必要もない上、入湯者の安全、安心の確保と美容と健康増進にも寄与できる。
【００５５】
なお、洗浄装置４を使用する場合の管理項目としては、現状の遊離残留塩素濃度測定に加えＡＴＰ測定を行うことが望ましい。ＡＴＰ値の管理を加えることにより、バイオフィルムの成長の有無を確認しながら、日常清掃作業の軽減化と塩素管理作業の軽減化を図ることができ、塩素の過剰投入による入湯者への健康被害をなくすことができる。
【００５６】
また、バイオフィルムの成長を更に抑制し、ＡＴＰ値を安全ゾーンである２５［ＲＬＵ］未満の範囲で変動させるためには、図２のコラム２２ａの本数を増加させるか、図４に示す方式で炭酸ガスを用いてマイクロナノバブルを供給すればよい。
【００５７】
また、不図示の貯湯槽やオーバーフロー回収槽を有する温浴施設１においては、循環水を貯水する水槽２１を設置することなく、貯湯槽やオーバーフロー回収槽に直接照射装置（コラム２２ａ）を設置してもよい。
【００５８】
また、プールや池のように、貯水容積の大きな循環式水処理施設において、洗浄対象に応じて洗浄装置４を増設したり、水槽２１を設置することなく、プールや池に照射装置（コラム２２ａ）を増設してもよい。
【００５９】
本発明は、以上の実施の形態に限定されるものでなく、本発明の要旨を逸脱しない範囲内で種々の改良、変更が可能である。なお、循環配管９内部にコラム２２ａを配置してもよい。
【符号の説明】
【００６０】
１  温浴施設
２  浴槽
２ａ  吸水口
２ｂ  排水口
３  集毛器
３ａ  吸込口
３ｂ  吐出口
４  洗浄装置
４ａ  往き管
４ｂ  戻り管
５  循環ポンプ
５ａ  吸込口
５ｂ  吐出口
６  薬剤注入器
６ａ  薬剤注入口
７  ろ過器
７ａ  吸込口
７ｂ  吐出口
８  加温器
８ａ  吸込口
８ｂ  吐出口
９、９ａ、９ｂ、９ｃ、９ｄ、９ｅ  循環配管
１０  ホース
２１  水槽
２１ａ  吸水口
２２  微細孔方式マイクロナノバブル発生装置
２２ａ  コラム
２２ｂ  コンプレッサ
２２ｃ  チューブ
２３  水中ポンプ
２３ａ  吐出口
２４  制御板
２５  フロート弁
２６  配管
２６ａ  出水口
２７  配管
２７ａ  入水口
４１  炭酸ガスボンベ
４２  バルブ
【図１】
2019058856.tif 000003
【図２】
2019058856.tif 000004
【図３】
2019058856.tif 000005
【図４】
2019058856.tif 000006
【図５】
2019058856.tif 000007